(57)【要約】【課題】大型化、複雑化することなく、使い勝手の良い防水ケース及び防水ケースに収納されるカメラにおけるカメラシステムを提供すること。【解決手段】カメラは、カメラ全体の制御を行う制御基板（１０９）と電気的に接続され、内部電源により起動する第一の近距離通信装置（１０８）を内部に有する。ハウジング（２００）は、カメラ（１００）を内部に装填可能であり、第一の近距離通信装置（１０８）から電力供給を受け起動する第二の近距離通信装置（２１３）を有する。第１の通信距離装置（１０８）から平面視した場合に、第二の近距離通信装置（２１３）は、ハウジング（２００）を構成する導電体から成る部材の投影面と少なくとも一部が重なる位置に配置される。一方、第一の近距離通信装置（１０８）は、前記ハウジング（２００）にカメラ（１００）が収納された状態で、第二の近距離通信装置（２１３）の投影面と少なくとも一部が重なる位置に配置される。【選択図】図３
2016085252.tif 000002
【特許請求の範囲】
【請求項１】
カメラ全体の制御を行う制御基板（１０９）と、
前記制御基板（１０９）に電気的に接続され、カメラの内部電源により起動する第一の近距離通信装置（１０８）を内部に有したカメラ（１００）と、
前記第一の近距離通信装置（１０８）から電力供給を受け起動する第二の近距離通信装置（２１３）を内部に有し、前記カメラ（１００）を内部に装填するハウジング（２００）からなり、
第一の近距離通信装置（１０８）と第二の近距離通信装置（２１３）が非接触通信規格に従って通信可能なカメラシステムであって、
前記第１の通信距離装置（１０８）から平面視した場合に、前記第二の近距離通信装置（２１３）は、前記ハウジング（２００）を構成する導電体から成る部材の投影面と、少なくとも一部が重なる位置に配置され、前記第一の近距離通信装置（１０８）は、前記ハウジング（２００）にカメラ（１００）が収納された状態において、前記第二の近距離通信装置（２１３）の投影面と、少なくとも一部が重なる位置に配置されることを特徴とするカメラシステム。
【請求項２】
前記ハウジングは、前記カメラを密閉収納可な防水ケースであることを特徴とする請求項１に記載のカメラシステム。
【請求項３】
前記導電体から成る部材は、前記防水ケース（２００）に、外部アクセサリを装着可能にすべく設けられたアクセサリーシュー（２１１）であることを特徴とする請求項１に記載のカメラシステム。
【請求項４】
前記導電体から成る部材は、前記防水ケース（２００）に、三脚を装着可能にすべく設けられた三脚座（２１２）であることを特徴とする請求項１に記載のカメラシステム。
【請求項５】
前記防水ケース（２００）は、ヒンジ部（２０４）により連結された、前面側を覆う前面カバー（２０１）と背面側を覆う背面カバー（２０２）を有し、前記ヒンジ部は前記前面カバー（２０１）と前記背面カバー（２０２）を開閉自在にするヒンジ軸（２０４ａ）を有し、前記導電体から成る部材は、前記ヒンジ軸（２０４ａ）であることを特徴とする請求項１に記載のカメラシステム。
【請求項６】
前記防水ケース（２００）は、前記ヒンジ部（２０４）と対向する側の側縁部において、前記前面カバー（２０１）と前記背面カバー（２０２）を閉じ状態に保持し、防水ケース（２００）を密閉状態にするバックル（２０５）を有し、前記バックル（２０５）は、前記バックル（２０５）を前記前面カバー（２０１）と前記背面カバー（２０２）のいずれかに対し回動可能に支持するバックル軸（２０５ａ）を有し、前記導電体から成る部材は、前記バックル軸（２０５ａ）であることを特徴とする請求項１に記載のカメラシステム。
【発明の詳細な説明】
【技術分野】
【０００１】
本発明は、カメラシステムに関し、特に電子カメラを防水ケース内に密閉収納し、該電子カメラの水中での使用を可能にするカメラシステムに関する。
【背景技術】
【０００２】
従来より、撮像装置（例えば、カメラ）を用いて水中撮影を行う場合、カメラに水が浸入するのを防止するため、防水構造（更には耐圧構造）を有する専用のケース（以下、「防水ケース」という）にカメラを収納して撮影を行うことがある。このような場合、良好な水中撮影を行うために、防水ケースにカメラを収納する時に、カメラを操作して水中撮影に適したモードに設定することがあった。
【０００３】
しかしながら、その作業はユーザーにとって非常に手間である上に、モード設定に時間を費やすことによってシャッターチャンスを逃す要因にもなりかねなかった。
【０００４】
このような事情に鑑み、特許文献１では、カメラが防水ケースに収納された状態を、カメラの内部及び防水ケースの内部に具備された無線タグが近距離通信を行うことでカメラ収納状態を検知し、水中撮影に適した撮影モードに移行させる技術が提案されている。
【先行技術文献】
【特許文献】
【０００５】
【特許文献１】特開２００９−１３９７２７号公報
【発明の概要】
【発明が解決しようとする課題】
【０００６】
しかしながら、特許文献１の様な構成では、無線タグを具備したカメラを防水ケースの外側から近づけた場合であっても、無線タグが通信を行い、カメラが防水ケースに収納された状態であると判断してしまうことがあった。その結果、ユーザーの意に反してカメラが水中撮影モードに移行してしまい、ユーザーの手を煩わせてしまうことがあった。
【０００７】
上記の様な誤検知を回避するための手段として、防水ケースの外装の肉厚を増やすことによって、防水ケースの内側に具備された無線タグから防水ケースの外装面までの距離を無線タグの通信可能距離以上にするなどの方法が考えられる。
【０００８】
しかし、このような手段では、防水ケースの不必要な大型化を招くことになってしまう。さらに、誤検知を回避する他の手段として、防水ケースの内側に具備された無線タグと外装面との間で、無線タグと対向する位置に、電磁遮蔽シート等を配置するといった方法も考えられる。しかし、このような手段では、防水ケースの大型化やコストアップを招くことになってしまう。
【０００９】
本発明は、上記の事情に鑑みてなされたもので、防水ケースおよびカメラを大型化、複雑化することなく、使い勝手の良い防水ケース及び防水ケースに収納されるカメラによるカメラシステムを提供することを目的とする。
【課題を解決するための手段】
【００１０】
上記の目的を達成するために、本発明は、
カメラ全体の制御を行う制御基板（１０９）と、
前記制御基板（１０９）に電気的に接続され、カメラの内部電源により起動する第一の近距離通信装置（１０８）を内部に有したカメラ（１００）と、
前記第一の近距離通信装置（１０８）から電力供給を受け起動する第二の近距離通信装置（２１３）を内部に有し、前記カメラ（１００）を内部に装填するハウジング（２００）からなり、
第一の近距離通信装置（１０８）と第二の近距離通信装置（２１３）が非接触通信規格に従って通信可能なカメラシステムであって、
前記第１の通信距離装置（１０８）から平面視した場合に、前記第二の近距離通信装置（２１３）は、前記ハウジング（２００）を構成する導電体から成る部材の投影面と、少なくとも一部が重なる位置に配置され、前記第一の近距離通信装置（１０８）は、前記ハウジング（２００）にカメラ（１００）が収納された状態において、前記第二の近距離通信装置（２１３）の投影面と、少なくとも一部が重なる位置に配置されることを特徴とする。
【発明の効果】
【００１１】
本発明によれば、防水ケースおよびカメラを大型化、複雑化することなく、使い勝手の良い防水ケース及び防水ケースに収納されるカメラによるメラシステムの提供を実現できる。
【図面の簡単な説明】
【００１２】
【図１】閉状態の防水ケース及び防水ケースに収納されるカメラの正面斜視図である。
【図２】閉状態の防水ケース及び防水ケースに収納されるカメラの背面斜視図である。
【図３】カメラ収納状態の模式断面図
【発明を実施するための形態】
【００１３】
以下に、本発明の好ましい実施の形態を、添付の図面に基づいて詳細に説明する。
【００１４】
［実施の形態１］
図１および図２に収納状態の本発明の防水ケース２００および防水ケース２００に収納されるカメラ本体１００の正面斜視図、背面斜視図をそれぞれ示す。
【００１５】
２０１は防水ケースの正面側を覆う前面カバー、２０２は防水ケースの裏側を覆う背面カバー、２０３は防水ケースのグリップで、水中においてダイビング用グローブ等を手にはめていても防水ケースをしっかりと保持できるように前面に大きく膨らんだ形状を成している。
【００１６】
前面カバー２０１と背面カバー２０２は、側縁部に設けられた金属から成るヒンジ軸（図３、２０４ａ）を有したヒンジ部２０４で連結されており、ヒンジ部２０４により開閉自在に支持されている。さらに、防水ケースのヒンジ部２０４に対向する側の側縁部において、前面カバー２０１の側面に、金属から成るバックル軸（図３、２０５ａ）を介して、バックル（とめがね）２０５が設けられている。
【００１７】
バックル２０５には不図示の係合爪が形成されており、背面カバー２０２の側面に設けられた不図示の係合溝に係合させることによって、前面カバー２０１と背面カバー２０２を閉じ状態に保持し、防水ケースを密閉状態にすることが可能になる。
【００１８】
なお、ヒンジ部２０４及びバックル２０５は、防水ケースの防水機能を確保するために肝心な機能を果たす部分であるため、防水ケースへの水圧、および過度な衝撃や荷重に耐えうる様、十分な厚みで形成されている。
【００１９】
２０６は拡散板であり、ストロボを使用するときにストロボ光を拡散させる働きを持っている。この拡散板２０６は爪形状で防水ケース本体に係合する構成であり、不使用時には取り外すことが可能である。２０７は防水ケースに設けられた電源ボタンであり、このボタンを押下すると、防水ケース越しにカメラ本体の電源ボタン１０２を押下する構造になっている。２０８は防水ケースに設けられたシャッターボタンであり、このボタンを押下すると、防水ケース越しにカメラ本体のシャッターボタン１０３を押下する構造になっている。
【００２０】
２０９は防水ケースに設けられたズームレバーであり、このレバーを回動させると、防水ケース越しにカメラ本体のズームレバー１０４を回動させる構造になっている。２１０は防水ケースに設けられた背面操作ボタンであり、それぞれのボタンは独立して押下可能である。これらのボタンを押下すると、防水ケース越しにカメラ本体の十字ボタン１０５やセンターボタン１０６や背面操作ボタン１０７の、いずれか対応しているボタンを押下する構造になっている。
【００２１】
２１１は防水ケースに外部ストロボを装着するためのアクセサリーシュー部であり、２１２は防水ケースに三脚や一脚等を固定保持するための三脚座である。なお、アクセサリーシュー部２１１及び三脚座２１２は、過度な衝撃や荷重による破壊を免れるため、それに耐えうる様金属で構成されている。
【００２２】
２１３（破線部）は防水ケースの内側に設けられた防水ケース側ＩＣタグであり、カメラ本体収納状態においてカメラ本体１００の内部に配置された、リーダ／ライタ機能を有するカメラ側ＩＣタグ１０８（破線部）と対向するように配置されている。
【００２３】
防水ケース側ＩＣタグ２１３とカメラ側ＩＣタグ１０８にはそれぞれ、ループアンテナが設けられており、カメラ本体収納状態において、お互いのループ面を平行かつアンテナ軸が一致するような配置にすることが好ましい。この様な配置にすることで、ＩＣタグの通信性能を最大限発揮することができる。
【００２４】
カメラ側ＩＣタグ１０８はカメラ本体の内蔵電源から電源供給を受けて動作し、ループアンテナによりＲＦフィールド（無線周波数電磁界）を発生させて通信を行う、所謂アクティブタグ（能動タグ）である。
【００２５】
一方、防水ケースに配置された防水ケース側ＩＣタグ２１３はカメラ側ＩＣタグ１０８からの電波を送受信するアンテナを備えるのみで、電波を受信する（ＲＦフィールドに侵入する）と電磁誘導作用により電源供給を受けて動作する、所謂パッシブタグ（受動タグ）である。
【００２６】
このような構成を用いることで、防水ケースの内部には、防水ケース側ＩＣタグ２１３を起動するための電源を内蔵させる必要がなく、例えば以下に示すような処理を行うことが可能となる。
【００２７】
防水ケース２００にカメラ本体１００が収納された状態で、防水ケースの電源ボタン２０７を押下すると、防水ケース越しにカメラ本体の電源ボタン１０２が押下され、カメラ本体が起動する。
【００２８】
カメラ本体の起動と同時にカメラ本体内部に備えられたカメラ側ＩＣタグ１０８から電波が送信されると、防水ケース内部に備えられた防水ケース側ＩＣタグ２１３が電波を受信して起動し、防水ケース側ＩＣタグ２１３はカメラ側ＩＣタグ１０８に電波を送信する。
【００２９】
そして、カメラ側ＩＣタグ１０８が防水ケース側ＩＣタグ２１３からの電波を受信すると、カメラ本体の制御部はカメラ本体が防水ケースに収納されたことを検知し、例えば、水中撮影に適した撮影モードに移行させる様な処理が行われる。
【００３０】
次に、上記のように構成された防水ケース２００及びカメラ本体１００によるシステムの主な特徴を説明する。図３は防水ケース２００にカメラ本体１００収納した状態で、アクセサリーシュー部及び三脚座及びヒンジ軸及びバックル軸の中心に沿った構成を示す模式断面図である。
【００３１】
図３において、２００は防水ケースであり、１００はカメラ本体である。防水ケース２００は、上述したように側縁部に設けられた金属から成るヒンジ軸２０４ａを有したヒンジ部２０４で連結されており、ヒンジ部２０４により開閉自在に支持されている。
【００３２】
また、防水ケースのヒンジ部２０４に対向する側の側縁部においては、金属から成るバックル軸２０５ａを有するバックル（とめがね）２０５で、前面カバー２０１と背面カバー２０２を係止し、防水ケース２００を密閉状態に保持している。
【００３３】
防水ケース２００の上面部には、防水ケース２００に外部ストロボを装着するためのアクセサリーシュー部２１１が設けられており、防水ケースの下面部には、防水ケース２００に三脚や一脚等を固定保持するための三脚座２１２が備えられている。
【００３４】
防水ケース２００の内側には、後述するカメラ本体内部に具備されたカメラ側ＩＣタグ１０８と近距離通信を行うための防水ケース側ＩＣタグ２１３が備えられている。
【００３５】
防水ケース側ＩＣタグ２１３は、図に示すようにアクセサリーシュー部２１１に投影上重なる位置に配置されている。なお、防水ケース側ＩＣタグ２１３は、粘着テープなどを用いて防水ケースの内壁に配置されている
１００は、防水ケース２００内部に収納されたカメラ本体であり、１０１はカメラの外装カバーである。カメラ本体１００の内部には、カメラ本体全体の制御をつかさどる制御基板１０９にフレキシブルプリント基板１１０によって電気的に接続されたカメラ側ＩＣタグ１０８が備えられている。なお、カメラ側ＩＣタグ１０８は、カメラ本体の内蔵電源から電源供給を受けて動作するアクティブタグである。カメラ側ＩＣタグ１０８は、図に示すように、カメラ本体収納状態において防水ケース側ＩＣタグ２１３と投影上重なる位置に配置されている。
【００３６】
以上説明した通り、防水ケース２００内部に備えられた防水ケース側ＩＣタグ２１３は、防水ケース上面部に備えられたアクセサリーシュー部２１１と投影上重なる位置に配置されている。一方、カメラ本体１００内部に備えられたカメラ側ＩＣタグ１０８は、カメラ本体収納状態において、防水ケース内部に備えられた防水ケース側ＩＣタグ２１３と投影上重なる位置に配置されている。つまり、カメラ本体収納状態において、防水ケース側ＩＣタグ２１３とカメラ側ＩＣタグ１０８とアクセサリーシュー部２１１は、互いに投影上重なる位置に配置されている。
【００３７】
この様な構成にすることによって、防水ケースにカメラ本体を収納し、カメラ本体を起動させた場合は、上述した要領でカメラ側ＩＣタグ１０８と防水ケース側ＩＣタグ２１３は近距離通信を行なうことにより、カメラ本体はカメラ本体収納状態を検知する。
【００３８】
一方、カメラ側ＩＣタグを防水ケースの外側（図３、Ａ方向）から防水ケース側ＩＣタグ２１３に近づけた場合、その間には金属から成るアクセサリーシュー部２１１が存在する。そのため、カメラ側ＩＣタグが発生させるＲＦフィールドは、防水ケース側ＩＣタグ２１３に到達する前に、金属から成るアクセサリーシュー部２１１に吸収されることになる。その結果、カメラ側ＩＣタグは防水ケース側ＩＣタグ２１３の起電力に十分な磁場を届けることができず、カメラ側ＩＣタグと防水ケース側ＩＣタグの通信は不可能になる。
【００３９】
つまり、防水ケース外側から送信されるカメラ側ＩＣタグの電波を、防水ケース側ＩＣタグが受信することが無くなる。これにより、カメラ本体が防水ケースに収納されていないのにカメラ収納状態と判断してしまい、ユーザーの意に反して水中撮影に適した撮影モードなどに移行させるといった様なことを回避することができる。
【００４０】
次に、本発明の第２の実施の形態〜第４の実施の形態を、図３に基づいて第１の実施の形態との相違点を中心に説明する。図中、第１の実施の形態と同じ構成部品は同番号を付与し説明を省略する。
【００４１】
［実施の形態２］
図３に示すように第２の実施の形態では、２１３ａ（破線部）は、防水ケース側ＩＣタグであり、１０８ａ（破線部）は、カメラ側ＩＣタグである。なお、カメラ側ＩＣタグ１０８ａは、カメラ本体全体の制御をつかさどる制御基板１０９にフレキシブルプリント基板１１０ａ（破線部）によって電気的に接続され、カメラ本体の内蔵電源から電源供給を受けて動作するアクティブタグである。
【００４２】
本実施例において、防水ケース側ＩＣタグ２１３ａは、防水ケース内部において、防水ケース下面部に備えられた三脚座２１２と投影上重なる位置に配置されている。一方、カメラ本体１００内部に備えられたカメラ側ＩＣタグ１０８ａは、カメラ本体収納状態において、防水ケース内部に備えられた防水ケース側ＩＣタグ２１３ａと投影上重なる位置に配置されている。つまり、カメラ本体収納状態において、防水ケース側ＩＣタグ２１３ａとカメラ側ＩＣタグ１０８ａと三脚座２１２は、互いに投影上重なる位置に配置されている。
【００４３】
この様な構成にすることによって、カメラ側ＩＣタグを防水ケースの外側（図３、Ｂ方向）から防水ケース側ＩＣタグ２１３ａに近づけた場合、その間には金属から成る三脚座２１２が。これにより、第一の実施例で説明した内容と同様の効果を得ることが可能である。
【００４４】
［実施の形態３］
図３に示すように第３の実施の形態では、２１３ｂ（破線部）は、防水ケース側ＩＣタグであり、１０８ｂ（破線部）、カメラ側ＩＣタグである。なお、カメラ側ＩＣタグ１０８ｂは、カメラ本体全体の制御をつかさどる制御基板１０９にフレキシブルプリント基板１１０ｂ（破線部）によって電気的に接続され、カメラ本体の内蔵電源から電源供給を受けて動作するアクティブタグである。
【００４５】
本実施例において、防水ケース側ＩＣタグ２１３ｂは、防水ケース内部において、防水ケース側縁部に備えられたヒンジ部２０４のヒンジ軸２０４ａと投影上重なる位置に配置されている。
【００４６】
一方、カメラ本体１００内部に備えられたカメラ側ＩＣタグ１０８ｂは、カメラ本体収納状態において、防水ケース内部に備えられた防水ケース側ＩＣタグ２１３ｂと投影上重なる位置に配置されている。つまり、カメラ本体収納状態において、防水ケース側ＩＣタグ２１３ｂとカメラ側ＩＣタグ１０８ｂとヒンジ軸２０４ａは、互いに投影上重なる位置に配置されている。
【００４７】
この様な構成にすることによって、カメラ側ＩＣタグを防水ケースの外側（図３、Ｃ方向）から防水ケース側ＩＣタグ２１３ａに近づけた場合、その間には金属から成るヒンジ軸２０４ａが存在する。これにより、第一の実施例で説明した内容と同様の効果を得ることが可能である。
【００４８】
［実施の形態４］
図３に示すように第３の実施の形態では、２１３ｃ（破線部）は、防水ケース側ＩＣタグであり、１０８ｃ（破線部）は他の実施例におけるカメラ側ＩＣタグである。なお、カメラ側ＩＣタグ１０８ｃは、カメラ本体全体の制御をつかさどる制御基板１０９にフレキシブルプリント基板１１０ｃ（破線部）によって電気的に接続され、カメラ本体の内蔵電源から電源供給を受けて動作するアクティブタグである。
【００４９】
本実施例において、防水ケース側ＩＣタグ２１３ｃは、防水ケース内部において、防水ケース側縁部に備えられたバックル２０５のバックル軸２０５ａと投影上重なる位置に配置されている。
【００５０】
一方、カメラ本体１００内部に備えられたカメラ側ＩＣタグ１０８ｃは、カメラ本体収納状態において、防水ケース内部に備えられた防水ケース側ＩＣタグ２１３ｃと投影上重なる位置に配置されている。つまり、カメラ本体収納状態において、防水ケース側ＩＣタグ２１３ｃとカメラ側ＩＣタグ１０８ｃとバックル軸２０５ａは、互いに投影上重なる位置に配置されている。
【００５１】
この様な構成にすることによって、カメラ側ＩＣタグを防水ケースの外側（図３、Ｄ方向）から防水ケース側ＩＣタグ２１３ｃに近づけた場合、その間には金属から成るバックル軸２０５ａが存在する。これにより、第一の実施例で説明した内容と同様の効果を得ることが可能である。
【００５２】
本発明は、上述した実施の形態に限定されるものでは無く、本発明の要旨を逸脱しない範囲で、その他種々の構成を採り得ることは勿論である。
【符号の説明】
【００５３】
１００  カメラ、１０８  第一の近距離通信装置、１０９  制御基板、
２００  防水ケース、２０１  前面カバー、２０２  背面カバー、２０４  ヒンジ部、
２０４ａ  ヒンジ軸、２０５  バックル、２０５ａ  バックル軸、
２１１  アクセサリーシュー、２１２  三脚座、２１３  第二の近距離通信装置
【図１】
2016085252.tif 000003
【図２】
2016085252.tif 000004
【図３】
2016085252.tif 000005